(57)【要約】【課題】  替え玉受験などの不正を防止し、合格者が全国に散らばっている場合でも、合格者に合格証を迅速かつ確実に配布できるようにすること。【解決手段】受験会場でカメラ１ａにより各受験者を撮影し、撮影した写真が貼付され、上記撮影画像を含む受験者情報が書き込まれ、追加書き込みが禁止されたＩＣカード２を各受験者に配布する。試験の後、試験の合格者は、受験者ＰＣ７、インターネット３を介して、試験場サーバ１に合格者証情報を要求する。試験場サーバ１は、受験者に配布したパスワードや秘密鍵で暗号化された受験番号等から、合格者を認証し、当該受験者に合格者証情報と上記ＩＣカード２の書き込み禁止を解除するためのパスワードを送信する。合格者は、上記パスワードによりＩＣカード２の書き込み禁止を解除して、上記合格者証情報を当該記憶媒体に書き込み、当該記憶媒体を合格者証として利用する。【選択図】          図１
2005327109.tif 000002
【特許請求の範囲】
【請求項１】
少なくとも各受験者に関する受験者情報が書き込まれ、追加書き込みが禁止された記憶媒体を各受験者に配布し、
試験の後、各合格者から少なくとも受験者情報を付して、合格者証情報の要求があった際、合格者証情報を要求したものを認証し、合格者証情報を要求したものが真の合格者であったとき、当該合格者に合格者証情報と、上記記憶媒体毎に割り当てられた該記憶媒体への追加書き込みを可能とする書き込み禁止解除用パスワードを送信し、
上記合格者証情報と、上記追加書き込み禁止解除用パスワードを受信した受験者が、このパスワードにより各受験者に配布された記憶媒体の追加書き込み禁止を解除して、上記合格者証情報を当該記憶媒体に書き込むことにより、当該記憶媒体を合格者証として利用可能とした
ことを特徴とする試験合格者への合格証配布方法。
【請求項２】
各受験者に配布され、少なくとも当該受験者に関する受験者情報が書き込まれ、追加書き込みが禁止された記憶媒体と、
少なくとも、上記受験者に関する受験者情報を記憶する記憶手段と、試験終了後、合格者から合格者証情報の要求があった際、合格者証情報を要求したものを認証する認証手段と、合格者証情報を要求したものが合格者のとき、当該合格者に、合格者証情報とともに当該受験者に配布された記憶媒体への追加書き込み禁止を解除する書き込み禁止解除用パスワードを、ネットワークを介して当該受験者に送信する送信手段とを有する第１の処理装置と、
ネットワークを介して上記第１の処理装置と接続され、上記処理装置から合格者証情報と禁止解除用パスワードを受信する手段と、
上記追加書き込み禁止解除用パスワードにより、上記記憶媒体の追加書き込み禁止を解除し、上記合格者証情報を上記記憶媒体に書き込む手段を有する第２の処理装置とからなる
ことを特徴とする試験合格者への合格証配布システム。
【請求項３】
上記第１の処理装置の記憶部には、各受験者の受験者認証用のパスワードと、各受験者に配布した各記憶媒体の書き込み禁止解除用パスワードが記憶されており、
上記認証手段は、合格者から上記受験者認証用のパスワードを付して、合格者証情報の要求があった際、合格者証情報を要求したものを上記受験者認証用のパスワードで認証し、
上記送信手段は、合格者証情報を要求したものが合格者のとき、上記記憶手段から、当該受験者に配布された記憶媒体の追加書き込み禁止解除用パスワードを読出し、当該受験者に、合格者証情報とともに上記追加書き込み禁止解除用パスワードを、ネットワークを介し当該受験者に送信する
ことを特徴とする請求項２記載の試験合格者への合格証配布システム。
【請求項４】
上記記憶媒体には、受験番号を含む受験者情報と、受験者毎に割り当てられた秘密鍵が格納され、
上記第１の処理装置の記憶部には、受験番号を含む受験者情報に加え、上記受験者毎に割り当てられたと秘密鍵のペアとなる公開鍵が記憶され、
上記第１の処理装置は、上記受験番号と公開鍵に基づいて、各受験者に配布した記憶媒体の書き込み禁止を解除するための書き込み禁止解除用パスワードを生成するパスワード生成手段を備え、
上記認証手段は、試験終了後、合格者から上記秘密鍵により暗号化した受験番号を付して、合格者証情報の要求があった際、上記暗号化された受験番号を公開鍵で復号化することにより、合格者証情報を要求したものを認証し、
上記送信手段は、合格者証情報を要求したものが合格者のとき、当該合格者に、合格者証情報とともに上記パスワード生成手段により生成された追加書き込み禁止解除用パスワードを、ネットワークを介し当該受験者に送信する
ことを特徴とする請求項２記載の試験合格者への合格証配布システム。
【請求項５】
上記送信手段は、合格者証情報を要求したものが合格者のとき、上記公開鍵により合格者証情報と上記書き込み禁止解除用パスワードを暗号化し、当該合格者に、暗号化された合格者証情報とともに上記パスワード生成手段により生成された追加書き込み禁止解除用パスワードを、ネットワークを介し当該合格者に送信し、
上記第２の処理装置は、秘密鍵により、上記暗号化された合格者証情報と追加書き込み禁止解除用パスワードを復号化する
ことを特徴とする請求項４記載の試験合格者への合格証配布システム。
【請求項６】
上記記憶媒体には、受験者情報に加えて、暗号化された当該記憶媒体の書き込み禁止を解除するための書き込み禁止解除用パスワードが記憶され、
上記第１の処理装置の記憶部には、受験者情報に加え、上記暗号化された書き込み禁止解除用パスワードを復号化するための秘密鍵が記憶され、
上記認証手段は、試験終了後、合格者から上記秘密鍵により暗号化された書き込み禁止解除用パスワードを付して合格者証情報の要求があった際、上記暗号化された書き込み禁止解除用パスワードを上記秘密鍵で復号化することにより、合格者証情報を要求したものを認証し、
上記送信手段は、合格者証情報を要求したものが合格者のとき、当該合格者に、合格者証情報とともに上記秘密鍵により復号化された書き込み禁止解除用パスワードを、ネットワークを介し当該受験者に送信する
ことを特徴とする請求項２記載の試験合格者への合格証配布システム。
【請求項７】
上記記憶媒体には、受験者情報に加え、受験者毎に割り当てられた秘密鍵と、該秘密鍵で暗号化された当該記憶媒体の書き込み禁止を解除するための書き込み禁止解除用パスワードが格納され、
上記第１の処理装置の記憶部には、受験番号を含む受験者情報に加え、上記受験者毎に割り当てられたと秘密鍵のペアとなる公開鍵が記憶され、
上記認証手段は、試験終了後、合格者から上記秘密鍵により暗号化した書き込み禁止解除用パスワードを付して合格者証情報の要求があった際、上記暗号化された書き込み禁止解除用パスワードを公開鍵で復号化することにより、合格者証情報を要求したものを認証し、
上記送信手段は、合格者証情報を要求したものが合格者のとき、当該合格者に、合格者証情報とともに上記復号化された追加書き込み禁止解除用パスワードを、ネットワークを介し当該受験者に送信する
ことを特徴とする請求項２記載の試験合格者への合格証配布システム。
【請求項８】
試験場には各受験者を撮影するカメラが設置され、上記記憶媒体には、試験場において取得した当該受験者の顔写真が貼付され、上記受験者情報および合格者証情報には、該カメラより撮影した各受験者の映像情報が含まれている
ことを特徴とする請求項２，３，４，５，６または請求項７記載の試験合格者への合格証配布システム。
【請求項９】
上記記憶媒体はＩＣカードである
ことを特徴とする請求項２，３，４，５，６，７または請求項８記載の試験合格者への合格証配布システム。
【請求項１０】
少なくとも受験者情報が書き込まれ、追加書き込みが禁止された記憶媒体を各受験者に配布し、試験の後、該試験の合格者に合格者証情報を送信する試験合格者への合格者証情報配布プログラムであって、
各合格者から少なくとも受験者情報を付して合格者証情報の要求があった際、合格者証情報を要求したものが、真の合格者であるかを認証する処理と、
当該合格者に、合格者証情報と、上記記憶媒体毎に割り当てられた該記憶媒体へのデータの追加書き込みを可能とする書き込み禁止解除用パスワードと、該パスワードにより記憶媒体への追加書き込み禁止を解除し、上記合格者証情報を該記憶媒体に追加書き込み可能とするためのプログラムを送信する処理をコンピュータに実行させる
ことを特徴とする合格者証情報配布プログラム。
【発明の詳細な説明】
【技術分野】
【０００１】
本発明は各種試験の試験合格者への合格証配布方法および合格証配布システムに関し、特に、情報処理技術者試験等の各種資格試験のように試験を実施して、合格者に資格を付与した後、合格者が学校などの試験を実施した機関に出向くことがない一過性の試験に適用するに好適な試験合格者への合格証配布方法および合格証配布システムに関するものである。
【背景技術】
【０００２】
入学試験、資格試験などにおいては、替え玉受験等の不正を防ぐため種々の方策を講じており、従来から、このような不正を防ぐための方法が種々提案されている。
例えば、特許文献１には、本人が提出した顔写真と、受験場で撮影した顔写真と、合格後の顔写真を照合し、学生証を配布するようにした不正受験防止方法が提案されている。  また、特許文献２には、カメラやセンサーにより受験を監視し、快適な受験環境を提供するようにした受験処理方法が提案されている。
さらに、特許文献３には、複数の志望校を持つ正当な受験者が、最寄の試験会場で、正当な受験校の試験問題と解答用紙をネットワークを介して入手可能とするとともに、受験者の不正や受験者の不公平に関する問題を対応するため、受験会場の受験端末から受験者が受験者情報を入力し、公開鍵のペアとなる秘密鍵を利用して署名を行い、試験センタのサーバが公開鍵を利用してこの署名を検証して、署名検証が正当なとき、受験者に試験問題、解答用紙などを配布するようにした遠隔電子受験方法が提案されている。
【特許文献１】特開２００３−１５０７１９号公報
【特許文献２】特開２００３−９１２３１号公報
【特許文献３】特開２００３−１６２０１号公報
【発明の開示】
【発明が解決しようとする課題】
【０００３】
入学試験などのように、試験実施後、合格者等が試験を行なった学校等に出向き、入学手続き等を行う場合には、合格証の配布や、合格者の認証は比較的容易であり、前記した従来例のように、受験時に本人を認証するだけで、比較的容易に不正を防止することが可能である。
しかし、各種資格試験のように試験実施後、合格者に合格証を配布して資格を付与し、その後、合格者が試験を実施した学校等の機関に出向くことがない一過性の試験の場合には、試験実施後、合格者を認証する機会が少なく、替え玉受験などの不正が可能になる場合も多い。
特に、全国の各地に受験会場が設けられる資格試験などにおいては、試験場で受験票に貼られた写真で本人であるかを認証している場合が多く、試験後、合格者の認証を行なうことが少ないので、替え玉受験などの不正を行っても発覚しにくい。
例えば、受験者とは異なる人（替え玉）が、受験者と偽って受験票に替え玉の写真を貼り付けて受験して試験に合格し、実際には試験を受けていない受験者が、受験者の名前の合格証を受領しても、不正が発覚しない場合も生じうる。仮に、合格証に写真などを添付して、受験者本人宛に郵送しても、写真を貼り代える等、合格証を改ざんすることも可能である。
なお、合格者に、所定の場所に来てもらい、合格者を認証の上、合格証を配布することも考えられるが、特に、全国の各地に受験会場が設けられる資格試験の場合には、受験者は全国に散らばっており、合格者本人に所定の場所に来てもらって合格者を認証することも難しい。
本発明は、上記事情に鑑みなされたものであって、替え玉受験などの不正を防止することができるとともに、正当な合格者に合格を証明する合格証を確実に配布することができ、かつ、合格者が全国に散らばっていても、比較的に容易に各合格者に合格証を配布することが可能な合格証配布方法および合格証配布システムを提供することを目的とする。
【課題を解決するための手段】
【０００４】
本発明においては、上記課題を次のようにして解決する。
（１）少なくとも各受験者に関する受験者情報が書き込まれ、追加書き込みが禁止された記憶媒体を各受験者に配布する。
試験の後、各合格者から少なくとも受験者情報を付して、合格者証情報の要求があった際、該合格者を認証し、問い合わせをした者が真の合格者であったとき、当該合格者に合格者証情報と、上記記憶媒体毎に割り当てられた該記憶媒体への追加書き込みを可能とする書き込み禁止解除用パスワードを送信する。
上記合格者証情報と、書き込み禁止解除用パスワードを受信した合格者は、書き込み禁止解除用パスワードにより各受験者に配布された記憶媒体の書き込み禁止を解除して、上記合格者証情報を当該記憶媒体に書き込むことにより、当該記憶媒体を合格者証として利用する。
（２）上記（１）において、受験者に認証用のパスワードを配布して、合格者から合格者証情報の要求があったとき、合格者を上記認証用のパスワードで認証し、合格者証情報の要求したものが合格者のとき、当該合格者に、合格者証情報とともに上記書き込み禁止解除用パスワードを当該受験者に送信する。
（３）上記（１）において、受験者毎に秘密鍵と、この秘密鍵のペアとなる公開鍵を用意し、上記記憶媒体に、受験番号を含む受験者情報と、受験者毎に割り当てられた秘密鍵を格納して、受験者に配布する。また、受験者の受験番号と公開鍵に基づいて、各受験者に配布した記憶媒体の書き込み禁止を解除するための書き込み禁止解除用パスワードを生成する。
試験終了後、受験者から上記秘密鍵により暗号化した受験番号を付して合格者証情報の要求があったとき、上記暗号化された受験番号を公開鍵で復号化することにより、合格者証情報を要求したものを認証し、合格者のとき、当該合格者に、合格者証情報とともに上記書き込み禁止解除用パスワードを、ネットワークを介し当該受験者に送信する。
また、上記において、以下のようにしてもよい。
合格者証情報を要求したものが合格者のとき、上記公開鍵により合格者証情報と上記書き込み禁止解除用パスワードを暗号化し、当該合格者に、暗号化された合格者証情報とともに上記書き込み禁止解除用パスワードを送信し、合格者が、秘密鍵により、上記暗号化された合格者証情報と書き込み禁止解除用パスワードを復号化する。
（４）上記（１）において、上記記憶媒体に秘密鍵により暗号化された書き込み禁止解除用パスワードを格納し、受験者に配布する。試験終了後、合格者から上記秘密鍵により暗号化された書き込み禁止解除用パスワードを付して合格者証情報の要求があったとき、上記暗号化された書き込み禁止解除用パスワードを上記秘密鍵で復号化することにより、合格者証情報を要求したものを認証し、合格者証情報を要求したものが合格者のとき、当合格者に、合格者証情報とともに上記秘密鍵により復号化された書き込み禁止解除用パスワードを送信する。
また、上記において、以下のようにしてもよい。
受験者毎に秘密鍵と、この秘密鍵のペアとなる公開鍵を用意し、上記記憶媒体に、受験者毎に割り当てられた秘密鍵と、該秘密鍵で暗号化された当該記憶媒体の書き込み禁止を解除するための書き込み禁止解除用パスワードが格納する。
そして、試験終了後、受験者から上記秘密鍵により暗号化した書き込み禁止解除用パスワードを付して合格者証情報の要求があったとき、上記暗号化された書き込み禁止解除用パスワードを公開鍵で復号化することにより、合格者証情報を要求したものを認証し、合格者証情報を要求したものが合格者のとき、当該合格者に、合格者証情報とともに上記復号化された書き込み禁止解除用パスワードを当該受験者に送信する。
（５）上記（１）〜（６）において、試験場に各受験者を撮影するカメラを設置し、上記記憶媒体に、試験場において取得した当該受験者の顔写真が貼付する。また、上記受験者情報および合格者証情報に、該カメラより撮影した各受験者の映像情報が含ませる。
（６）上記（１）〜（７）において、記憶媒体をＩＣカードとする。
【発明の効果】
【０００５】
本発明においては、以下の効果を得ることができる。
（１）受験者に記憶媒体を配布し、該記憶媒体に受験者情報を記録したのち、追加書き込み禁止状態に設定し、合否判定後、合格者から合格者証情報の配布要求があったとき、パスワード、秘密鍵などにより合格者を認証し、認証できた合格者に合格者証情報と、記憶媒体の書き込み禁止を解除するパスワードを送信し、送信されてきたパスワードにより記憶媒体の追加書き込み禁止を解除して、上記記憶媒体に合格者証情報を記録し、合格者証情報が記録された記憶媒体を合格証としているので、試験に合格しなかったものが、上記記憶媒体の内容を書き換えて合格者を偽ることを防止することができる。
また、上記受験者情報に、受験会場で撮影した受験者の写真画像を含ませておくことで、替え玉受験を防止することもできる。
（２）インターネット等を介して、合格者に確実に合格者証を配布することができる。
このため、全国の各地に受験会場が設けられる資格試験などにおいても、合格者に確実に合格者証を配布することができる。
また、合格者証を印刷し、合格者に郵送などで配布する作業を省略することができる。
【発明を実施するための最良の形態】
【０００６】
図１は本発明のシステムの概要を示す図である。図１において、１は試験センタに設置された試験場サーバであり、試験場サーバ１には受験者の映像を撮影するカメラ１ａと、ＩＣカードライタ１ｂが接続されている。試験場サーバ１の記憶部１ｃには、受験会場でカメラ１ａにより撮影された画像情報と、受験者の氏名、住所、生年月日、受験番号等の受験者情報が記憶されている。さらに、試験場サーバ１は、後述するように受験者毎にパスワード、秘密鍵、公開鍵などを生成して、上記記憶部１ｃに格納する。
上記受験者情報、秘密鍵、公開鍵などは、上記ＩＣカードライタ１ｂにより、ＩＣカード２に書き込まれ、受験会場で受験者に配布される。また、上記カメラ１ａにより撮影された受験者の画像が上記ＩＣカード２に貼り付けられる。ここで貼り付けとは、ＩＣカードと一体化している状態も意味する。このＩＣカード２は、書き換えおよび追加書き込み禁止状態で各受験者に配布される。
試験センタのサーバ１は、インターネット３を介して受験者のパソコン（ＰＣという）４−１〜４−ｎに接続されている。受験者ＰＣ４−１〜４−ｎには、ＩＣカードリーダ／ライタ４ａと、必要に応じてプリンタ４ｂが接続される。
【０００７】
受験者は、受験後、受験者ＰＣ４−１〜４−ｎからインターネット３を介して試験場サーバ１にアクセスし、合否を確認する。そして、合格している場合、試験場サーバ１から合格者証情報情報をダウンロードし、ＩＣカード２に書き込む。また、必要に応じて合格証をプリンタ４ｂで印刷する。上記合格者証情報をダウンロードする際、合格者であることを受験者毎に配布されたパスワードあるいはＩＣカード２に書き込まれた秘密鍵などで認証し、合格者に上記ＩＣカードの追加書き込み禁止を解除するパスワードを通知する。このパスワードでＩＣカード２の追加書き込み禁止状態が解除され、ダウンロードされた合格者証情報が書き込まれる。なお、ＩＣカード２に合格者証情報が書き込まれのち、再度ＩＣカード２を追加書き込み禁止状態に設定してもよい。
上記ダウンロードにより合格者証情報が書き込まれたＩＣカードは、合格者証として使用することができ、ＩＣカード２の情報を読み出すことで、ＩＣカードの所持者を合格者として認証することができる。また、プリンタ４ｂにより、合格者証をプリントアウトすることで、ＩＣカード２に書き込まれた合格者証情報（合格者番号等）を知ることができる。
図２は上記ＩＣカードの外観の一例を示す図であり、同図に示すように、ＩＣカードの表面には、受験者の氏名、住所、生年月日等が印刷され、また、受験会場で撮影された受験者の画像が印刷されたり貼り付けられる。このＩＣカードを受験会場の受験前に用意して受験者に配布することで、受験時の受験票として利用することができる。
図３は、上記プリントアウトした合格者証の一例を示す図であり、合格者証には同図に示すように、合格者の氏名、住所等と、合格証書番号と、合格者の写真が印刷される。
【０００８】
以下、本発明を実施例により具体的に説明する。
図４は本発明の第１の実施例のシステムの構成を示す図である。
同図において、カメラ１ａにより撮影された受験者の画像は、試験場サーバ１の入力部１１を介して記憶部１ｃに格納される。また、入力手段１ｄから入力部１１を介して入力される受験者の氏名、住所、生年月日、受験番号等の受験者情報は、記憶部１ｃに記憶される。さらに、試験後、合否判定を行った結果得られた合否情報が上記入力手段１ｄから入力され、記憶部１ｃに格納される。
パスワード生成部１２は、受験者番号等に基づき、各受験者毎にパスワードＡ，Ｂを生成し、上記記憶部１ｃに格納する。上記パスワードＡは、受験者認証用のパスワードであり、受験会場で各受験者に各自のパスワードが知らされる。また、パスワードＢは、ＩＣカード２の追加書き込み禁止を解除するパスワードであり、前述したように、合格者を認証した上、各合格者に通知される。
ＩＣカード書き込み部１６は、上記記憶部１ｃに格納された受験者情報をＩＣカード２に書き込み、書き込み後、ＩＣカード２を書き換え及び追加書き込み禁止状態に設定する。この追加書き込み禁止状態は、上記パスワードＢにより解除することができる。
また、ＩＣカードの表面には、図２に示したように、受験者の画像と受験者情報が印刷される。このＩＣカードは前記したように受験会場で受験者に配布され、または後日郵送され、また、各自にパスワードＡが通知される。
図１４（ａ）は上記記憶部１ｃに格納される受験者情報、パスワードＡ，Ｂの一例を示す図であり、同図に示すように、記憶部１ｃには、各受験者の氏名、住所、生年月日等の受験者情報に加え、パスワードＡ，Ｂが格納される。
【０００９】
試験の合否判定後、各受験者の合否判定結果が入力部１１から入力されると、この合否判定結果は記憶部１ｃに記憶され、送受信部１７に渡され、ホームページ等を介して、合格者の受験番号が公開される。
また、合格者証情報作成部１３は、記憶部１ｃに記憶された合否判定結果に基づき、各合格者の合格者証情報を作成する。  
図５は、合格者証情報の一例を示す図であり、合格者証情報は、受験番号、合格者氏名、合格証書番号等からなる。また、合格者証情報には各受験者の写真が付加されている。  受験者は、受験者ＰＣ４からインターネット３を介して上記ホームページにアクセスし、表示部４ｄに合否判定結果を表示させ、合格しているか否かを確認する。
合格者は、受験者ＰＣ４から試験場サーバにアクセスし、受験時に知らされたパスワードＡを入力手段４ｃから入力し、合格者証情報のダウンロードを要求する。
【００１０】
このパスワードＡと合格者証情報のダウンロード要求は、試験場サーバ１に送信されて、試験場サーバ１の送受信部で受信される。合格者認証部１５は、受験者ＰＣ４から送信されたパスワードＡと記憶部１ｃに記憶された当該受験者のパスワードＡを比較し、一致していると、合格者証情報作成部１３で作成された合格者証情報と、ＩＣカードの書き込み禁止を解除するためのパスワードＢが、合格者証情報送信部１４、送受信部１７、インターネット３を介して、受験者ＰＣ４に送信される。また、これと同時に、ＩＣカード２に合格者証情報等を書き込むためのＩＣカード書き込み用プログラム１８を受験者ＰＣ４にダウンロードする。
合格者は、上記合格者証情報、パスワードＢ、ＩＣカード書き込み用プログラム１８が送られてくると、ＩＣカードライタ４ａにＩＣカードを挿入し、上記ＩＣカード書き込み用プログラム１８を起動する。
受験者ＰＣ４では、上記ＩＣカード書き込み用プログラム１８がパスワードＢにより、ＩＣカードの追加書き込み禁止を解除し、合格者証情報をＩＣカードに書き込む。さらに、必要に応じてプリンタ４ｂにより、合格者証を印刷する。また、合格者証情報を書き込み後、ＩＣカードを再び、追加書き込み禁止状態に設定するようにしてもよい。
【００１１】
上記合格者証情報が書き込まれたＩＣカードは、合格者証として利用することができ、ＩＣカードリーダで上記ＩＣカードから合格者証情報を読み取り、パソコンなどに表示することで、合格者であることを容易に認証することができる。
また、試験場サーバなどに、合格者証情報を保存しておき、パソコン等から試験場サーバなどにアクセスして合格証書番号等を入力し、写真を含む合格者証情報を閲覧できるようにしておけば、仮に上記ＩＣカードを紛失などした場合でも、上記プリントアウトした合格者証から、合格者であることを認証することもできる。
【００１２】
図６、図７は本実施例の処理を示すフローチャートであり、図６は、受験時における試験場サーバ１における処理、図７は、合否判定後に合格者証情報を配布する際の処理を示す図である。
図６において、まず、受験者の氏名、受験番号、生年月日などの受験者情報を試験場サーバ１に入力し（ステップＳ１）、カメラ１ａにより受験者の写真を撮影して記憶部１ｃ格納する（ステップＳ２）。ついで、パスワード生成部１２で、受験者認証用パスワードＡと、ＩＣカード書き込み禁止解除用パスワードＢを生成し、記憶部１ｃに格納する（ステップＳ３，Ｓ４）。そして、ＩＣカードライタ１ｂにより、受験者情報等をＩＣカード２に書き込む（ステップＳ５）。また、ＩＣカード２の表面に、カメラ１ａで撮影した写真を貼り付け、受験番号等の受験者情報を印刷する。ここで、ＩＣカード２に上記カメラ１ａで撮影した受験者の画像を書き込んでおくことで、ＩＣカード２の写真を貼りかえても、ＩＣカード２の情報を読み出すことで、写真が貼りかえられたことを確認することができる。またＩＣカードと写真は物理的にはがせず一体化状態にすることもできる。
上記のようにＩＣカード２の受験者情報等が書き込まれると、ＩＣカードは書き換え及び追加書き込み追加禁止状態に設定される（ステップＳ６）。
【００１３】
合否判定後、合格者証情報の配布は次のように行われる。
図７において、合否判定結果が入力されると、試験場サーバ１は、合否判定結果を記憶部１ｃに格納し、合格者証情報を作成し、合否判定結果をホームページで公開する（ステップＳ１４，Ｓ１５）。
受験者は、受験者ＰＣにより上記ホームページを閲覧し合否を知る（ステップＳ７）。合格者は、受験者ＰＣから試験場サーバ１に対して、パスワードＡを入力して合格者証情報を要求する（ステップＳ８，Ｓ９）。
試験場サーバ１は、受験者ＰＣから送られてくるパスワードＡにより、合格者証情報を要求してきたものが、正しい合格者であるかを認証する。そして、パスワードＡが正しければ、合格者と認証し、該受験者ＰＣに、合格者証情報とＩＣカードの追加書き込み禁止を解除するパスワードＢと、ＩＣカード書き込みプログラムを送信する（ステップＳ１６−Ｓ１８）。
受験者ＰＣ４では、上記合格者証情報とパスワードＢとＩＣカード書き込みプログラムを受信すると、上記ＩＣカード書き込みプログラムは、パスワードＢによりＩＣカードの追加書き込み禁止を解除し、ＩＣカードに合格者証情報を書き込む（ステップＳ１２，Ｓ１３）。
また、必要に応じて、プリンタにより上記合格者証情報に基づき、合格者証をプリントアウトする。この合格者証には、前記図３に示したように受験者の写真が印刷される。
【００１４】
以上説明したように、本実施例においては、各受験者に受験会場で撮影した写真等を貼りつけ受験者情報などを書き込んだＩＣカードを、追加書き込み禁止状態で受験者に配布するとともに、各受験者にパスワードＡを通知し、パスワードＡにより合格者を認証し、ＩＣカードの追加書き込み禁止を解除するパスワードＢとともに、合格者証情報を送信してＩＣカードに書き込み、この合格者証情報が書き込まれたＩＣカードにより合格者を認証するようにしている。
このため、仮に替え玉が、他人の名をかたって受験して合格しても、ＩＣカードに貼り付けられた写真や、合格者証情報に含まれる受験者の写真が替え玉の写真なので、替え玉受験であることが、直ちにわかってしまう。
また、替え玉受験をしたものが、合格者証情報と、上記パスワードを受信してＩＣカードに合格者証情報を書き込んだ後、ＩＣカードに記憶された写真を書き換え、さらにＩＣカードに貼り付けられた写真を貼り変えようとしても、上記パスワードでは、ＩＣカードは書き換えはできず、追加書き込みしかできないので、このような不正を防ぐことができる。
なお、ＩＣカードの書き込み禁止解除用パスワードは、各ＩＣカード毎に設定されているので、異なる受験者がこのパスワードを盗んでも、その受験者のＩＣカードを書き換えることはできない。
【００１５】
パソコンを用いれば、合格者証の写真等や氏名等を容易に改ざんすることが可能であり、パソコンでプリントアウトした合格証により合格者を認証しようとしても、改ざんされたものであるか否かを判別することは困難である。しかし、上記のようにＩＣカードに合格者証情報を書き込んだ後、ＩＣカードを追加書き込み禁止状態にして、ＩＣカードそのものを合格証として用いれば、ＩＣカードに記憶された写真や合格者名などを改ざんすることもできず、このＩＣカードにより合格者を確実に認証することができる。
また、本実施例では、インターネットを介して、合格者証情報を配布するようにしているので、合格者が全国に散らばっていても、比較的に容易に各合格者に合格証を配布することが可能である。
【００１６】
図８は本発明の第２の実施例のシステムの構成を示す図である。
本実施例の試験場サーバ１には、前記第１の実施例に示したパスワード生成部１２に代えて、パスワード／秘密・公開鍵生成部２１が設けられており、パスワード／秘密・公開鍵生成部２１は、受験者毎に秘密鍵、公開鍵を生成するとともに、予め設定された公開鍵と各受験者の受験番号から、予め定められたアルゴリズムにより、ＩＣカードの書き込み禁止を解除するパスワードを生成する。
試験場サーバ１と受験者ＰＣ４のその他の構成は、前記第１の実施例と同様であり、カメラ１ａにより撮影された受験者の画像は、試験場サーバ１の入力部１１を介して記憶部１ｃに格納される。また、入力手段１ｄから入力部１１を介して入力される受験者の氏名、住所、生年月日、受験番号等の受験者情報は、記憶部１ｃに記憶される。さらに、試験後、合否判定を行った結果得られた合否情報が上記入力手段１ｄから入力され、記憶部１ｃに格納される。
パスワード／秘密・公開鍵生成部２１は、上述したように、受験者毎に秘密鍵、公開鍵のペアを生成し、上記記憶部１ｃに格納する。上記秘密鍵は、ＩＣカードに書き込まれ、上記公開鍵は、試験場サーバ１の記憶部に格納される。なお、この公開鍵は、公開されずに試験場サーバ１で管理される。また、公開鍵と各受験者の受験番号から、予め定められたアルゴリズムにより、ＩＣカードの追加書き込み禁止を解除するパスワードを生成する。
ＩＣカード書き込み部１６は、上記記憶部１ｃに格納された受験者情報と、秘密鍵をＩＣカード２に書き込み、書き込み後、ＩＣカード２を書き換え及び追加書き込み禁止状態に設定する。この追加書き込み禁止状態は、上記パスワードにより解除することができる。
また、前記したように、ＩＣカードの表面には受験者の画像と受験者情報が印刷され、前記したように受験会場で受験者に配布される。または後日郵送される。
図１４（ｂ）は上記記憶部１ｃに格納される受験者情報、秘密鍵、公開鍵の一例を示す図であり、同図に示すように、記憶部１ｃには、各受験者の氏名、住所、生年月日等の市受験者情報に加え、秘密鍵、公開鍵が格納される。なお、上記パスワードは、必要になった際、公開鍵と各受験者の受験番号から予め設定されたアルゴリズムにより生成される。    
【００１７】
試験の合否判定後、前記したように、ホームページ等を介して、合格者の受験番号が公開される。
また、合格者証情報作成部１３は、記憶部１ｃに記憶された合否判定結果に基づき、前記したように、各合格者の合格者証情報を作成する。  
受験者は、受験者ＰＣ４からインターネット３を介して上記ホームページにアクセスし、表示部４ｄに合否判定結果を表示させ、合格しているか否かを確認する。
合格者は、受験者ＰＣ４から試験場サーバ１にアクセスし、ＩＣカードに格納された秘密鍵を用いて、自分の受験番号を暗号化して、試験場サーバ１に送り、合格者証情報のダウンロードを要求する。
【００１８】
この秘密鍵により暗号化された受験番号を伴う合格者証情報のダウンロード要求は、試験場サーバ１に送信されて、試験場サーバ１の送受信部で受信される。合格者認証部１５は、受験者ＰＣ４から送信された秘密鍵により暗号化された受験番号を当該受験者の公開鍵で復号化し、合格者証情報を要求してきた合格者の認証を行う。合格者の認証が行われると、パスワード／秘密・公開鍵生成部２１で、受験番号と公開鍵を所定のアルゴリズムで処理をして、ＩＣカードの書き込み禁止を解除するパスワードを生成する。
そして、合格者証情報作成部１３で作成された合格者証情報と、上記ＩＣカードの書き込み禁止を解除するためのパスワードを受験者ＰＣ４に送信する。また、これと同時に、ＩＣカード２に合格者証情報等を書き込むためのＩＣカード書き込み用プログラム１８を受験者ＰＣ４にダウンロードする。
合格者は、上記合格者証情報、パスワード、ＩＣカード書き込み用プログラム１８が送られてくると、ＩＣカードライタ４ａにＩＣカードを挿入し、上記ＩＣカード書き込み用プログラム１８を起動する。
受験者ＰＣ４では、上記ＩＣカード書き込み用プログラム１８が試験場サーバから送られてきたパスワードにより、ＩＣカード２の追加書き込み禁止を解除し、合格者証情報をＩＣカードに書き込む。さらに、必要に応じてプリンタ４ｂにより、合格者証を印刷する。
【００１９】
上記合格者証情報が書き込まれたＩＣカードは、前記したように合格者証として利用することができ、ＩＣカードリーダで上記ＩＣカードから合格者証情報を読み取り、パソコンなどに表示することで、合格者であることを容易に認証することができる。
また、試験場サーバなどに、合格者証情報を保存しておき、パソコン等から試験場サーバなどにアクセスして合格証書番号等を入力し、写真を含む合格者証情報を閲覧できるようにしておけば、仮に上記ＩＣカードを紛失などした場合でも、上記プリントアウトした合格者証から、合格者であることを認証することもできる。
【００２０】
図９、図１０は本実施例の処理を示すフローチャートであり、図９は、受験時における試験場サーバ１における処理、図１０は、合否判定後に合格者証情報を配布する際の処理を示す図である。
図９において、まず、受験者の氏名、受験番号、生年月日などの受験者情報を試験場サーバ１に入力し（ステップＳ１）、カメラ１ａにより受験者の写真を撮影して記憶部１ｃ格納する（ステップＳ２）。ついで、パスワード／秘密・公開鍵生成部２１で、各受験者の公開鍵、秘密鍵を生成し、記憶部１ｃに格納する。また、各受験者の受験番号と上記公開鍵を所定のアルゴリズムで演算して、ＩＣカード追加書き込み禁止解除用パスワードを生成する（ステップＳ３，Ｓ４）。そして、ＩＣカードライタ１ｂにより、受験者情報、秘密鍵をＩＣカード２に書き込む（ステップＳ５）。また、ＩＣカード２の表面に、カメラ１ａで撮影した写真を貼り付け、受験番号等の受験者情報を印刷する。ここで、ＩＣカード２に上記カメラ１ａで撮影した受験者の画像を書き込んでおくことで、ＩＣカード２の写真を貼りかえても、ＩＣカード２の情報を読み出すことで、写真が貼りかえられたことを確認することができる。またＩＣカードと写真は物理的にはがすことができないように一体化状態にすることもできる。
上記のようにＩＣカード２の受験者情報等が書き込まれると、上記追加書き込み禁止解除用パスワードでなければ解除できないように、ＩＣカードを書き換えおよび追加書き込み禁止状態に設定する（ステップＳ６）。
【００２１】
合否判定後、合格者証情報の配布は次のように行われる。
図１０において、合否判定結果が入力されると、試験場サーバ１は、合否判定結果を記憶部１ｃに格納し、合格者証情報を作成し、合否判定結果をホームページで公開する（ステップＳ１４，Ｓ１５）。
受験者は、受験者ＰＣにより上記ホームページを閲覧し合否を知る（ステップＳ７）。合格者は、ＩＣカードに記憶された秘密鍵により、受験番号を暗号化し、受験者ＰＣから試験場サーバ１に対して、この暗号化された情報を送信し、合格者証情報を要求する（ステップＳ８，Ｓ９）。
試験場サーバ１は、受験者ＰＣから送られてくる暗号化情報を公開鍵により復号化し、合格者証情報を要求してきたものが、正しい合格者であるかを認証する。そして、合格者であることが認証できると、前記したように、公開鍵と受験番号を所定のアルゴリズムで演算し、ＩＣカード書き込み禁止解除用パスワードを作成し、該受験者ＰＣ４に、合格者証情報と上記パスワードと、ＩＣカード書き込みプログラムを送信する（ステップＳ１６−Ｓ１８）。
受験者ＰＣ４では、上記合格者証情報とパスワードとＩＣカード書き込みプログラムを受信すると、上記ＩＣカード書き込みプログラムは、パスワードによりＩＣカードの追加書き込み禁止を解除し、ＩＣカードに合格者証情報を書き込む（ステップＳ１２，Ｓ１３）。また、必要に応じて、プリンタにより上記合格者証情報に基づき、合格者証をプリントアウトする。この合格者証には前記図３に示したように受験者の写真が印刷される。
【００２２】
以上説明したように、本実施例においては、各受験者に受験会場で撮影した写真等を貼りつけ受験者情報などを書き込んだＩＣカードを、追加書き込み禁止状態で受験者に配布するとともに、受験者毎に秘密鍵とこれに対応した公開鍵を生成し、秘密鍵をＩＣカードに書き込み、合格者のＰＣから送信される秘密鍵により暗号化された受験番号を公開鍵で復号化して合格者を認証し、ＩＣカードの追加書き込み禁止を解除するパスワードとともに合格者証情報を合格者のＰＣに送信して、合格者証情報をＩＣカードに書き込み、この合格者証情報が書き込まれたＩＣカードにより合格者を認証するようにしている。
このため、前記第１の実施例と同様、替え玉受験を防止することができる。また、ＩＣカードそのものを合格証として用いているので、このＩＣカードにより合格者を確実に認証することができる。
また、インターネットを介して、合格者証情報を配布するようにしているので、合格者が全国に散らばっていても、比較的に容易に各合格者に合格証を配布することが可能である。
さらに、秘密鍵、公開鍵を用い、秘密鍵により受験番号を暗号化し、公開鍵により復号化することで合格者を認証しているので、合格者の認証を確実に行うことができる。
また、公開鍵と受験番号を予め設定されたアルゴリズムにより演算し、ＩＣカードの書き込み禁止を解除するパスワードを生成しているので、パスワードを試験場サーバで管理する必要がない。
なお、上記実施例では、合格者証情報とパスワードを暗号化しないで、試験場サーバから受験者ＰＣに送信しているが、上記試験場サーバにおいて、公開鍵により合格者証情報とパスワードを暗号化して受験者ＰＣに送信し、受験者ＰＣで受信した暗号化情報を秘密鍵で復号化するようにしてもよい。
【００２３】
図１１は本発明の第３の実施例のシステムの構成を示す図である。
本実施例の試験場サーバ１には、前記第１の実施例に示したパスワード生成部１２に代えて、パスワード／秘密鍵生成部２２が設けられており、パスワード／秘密鍵生成部２２は、受験者毎に秘密鍵を生成するとともに、ＩＣカードの書き込み禁止を解除するパスワードを生成する。なお、このパスワードは、第２の実施例と同様に、予め設定された秘密鍵と各受験者の受験番号から、予め定められたアルゴリズムにより生成してもよい。
上記秘密鍵は、記憶部１ｃに格納され試験場ＰＣで管理される。
試験場サーバ１と受験者ＰＣ４のその他の構成は、前記第１，２の実施例と同様であり、カメラ１ａにより撮影された受験者の画像は、試験場サーバ１の入力部１１を介して記憶部１ｃに格納される。また、入力手段１ｄから入力部１１を介して入力される受験者の氏名、住所、生年月日、受験番号等の受験者情報は、記憶部１ｃに記憶される。さらに、試験後、合否判定を行った結果得られた合否情報が上記入力手段１ｄから入力され、記憶部１ｃに格納される。
ＩＣカード書き込み部１６は、上記記憶部１ｃに格納された受験者情報をＩＣカード２に書き込み、さらに、暗号化部２３で上記ＩＣカードの追加書き込み禁止を解除するパスワードを上記秘密鍵により暗号化し、暗号化されたパスワードをＩＣカード２に書き込む。なお、この秘密鍵により暗号化されたパスワードは、後述するように合格者の認証に使用される。上記情報をＩＣカードに書き込み後、ＩＣカード２を書き換えおよび追加書き込み禁止状態に設定する。この追加書き込み禁止状態は、上記パスワードにより解除することができる。
また、前記したように、ＩＣカードの表面には受験者の画像と受験者情報が印刷され、前記したように受験会場で受験者に配布される。なお、受験者は秘密鍵を知らないので、暗号化されたパスワードを復号化することはできない。
図１４（ｃ）は上記記憶部１ｃに格納される受験者情報、秘密鍵の一例を示す図であり、同図に示すように、記憶部１ｃには、各受験者の氏名、住所、生年月日等の市受験者情報に加え、秘密鍵が格納される。なお、各受験者のパスワードは、暗号化されてＩＣカードに書き込まれているので、ＩＣカードに書き込み後、消去してもよい。  
【００２４】
試験の合否判定後、前記したように、ホームページ等を介して、合格者の受験番号が公開される。
また、合格者証情報作成部１３は、記憶部１ｃに記憶された合否判定結果に基づき、前記したように、各合格者の合格者証情報を作成する。  
受験者は、受験者ＰＣ４からインターネット３を介して上記ホームページにアクセスし、表示部４ｄに合否判定結果を表示させ、合格しているか否かを確認する。
合格者は、受験者ＰＣ４から試験場サーバ１にアクセスし、ＩＣカードに格納された秘密鍵により暗号化されたパスワードを試験場サーバ１に送り、合格者証情報のダウンロードを要求する。
【００２５】
この秘密鍵により暗号化されたパスワードを伴う合格者証情報のダウンロード要求は、試験場サーバ１に送信されて、試験場サーバ１の送受信部で受信される。合格者認証部１５は、受験者ＰＣ４から送信された秘密鍵により暗号化されたパスワードを当該受験者の秘密鍵で復号化し、合格者証情報を要求してきた合格者の認証を行う。合格者の認証が行われると、合格者証情報作成部１３で作成された合格者証情報と、上記秘密鍵で復号化されたＩＣカードの追加書き込み禁止を解除するためのパスワードを受験者ＰＣ４に送信する。また、これと同時に、ＩＣカード２に合格者証情報等を書き込むためのＩＣカード書き込み用プログラム１８を受験者ＰＣ４にダウンロードする。
合格者は、上記合格者証情報、パスワード、ＩＣカード書き込み用プログラム１８が送られてくると、ＩＣカードライタ４ａにＩＣカードを挿入し、上記ＩＣカード書き込み用プログラム１８を起動する。
受験者ＰＣ４では、上記ＩＣカード書き込み用プログラム１８が上記パスワードにより、ＩＣカードの追加書き込み禁止を解除し、合格者証情報をＩＣカードに書き込み、ＩＣカードを再び、追加書き込み禁止状態に設定する。さらに、必要に応じてプリンタ４ｂにより、合格者証を印刷する。
【００２６】
上記合格者証情報が書き込まれたＩＣカードは、前記したように合格者証として利用することができ、ＩＣカードリーダで上記ＩＣカードから合格者証情報を読み取り、パソコンなどに表示することで、合格者であることを容易に認証することができる。
また、試験場サーバなどに、合格者証情報を保存しておき、パソコン等から試験場サーバなどにアクセスして合格証書番号等を入力し、写真を含む合格者証情報を閲覧できるようにしておけば、仮に上記ＩＣカードを紛失などした場合でも、上記プリントアウトした合格者証から、合格者であることを認証することもできる。
【００２７】
図１２、図１３は本実施例の処理を示すフローチャートであり、図１２は、受験時における試験場サーバ１における処理、図１３は、合否判定後に合格者証情報を配布する際の処理を示す図である。
図１２において、まず、受験者の氏名、受験番号、生年月日などの受験者情報を試験場サーバ１に入力し（ステップＳ１）、カメラ１ａにより受験者の写真を撮影して記憶部１ｃ格納する（ステップＳ２）。ついで、パスワード／秘密鍵生成部２２で、各受験者の秘密鍵を生成し、記憶部１ｃに格納する。また、ＩＣカード書き込み禁止解除用パスワードを生成する（ステップＳ３，Ｓ４）。そして、上記パスワードを秘密鍵により暗号化し、ＩＣカードライタ１ｂにより、受験者情報、秘密鍵により暗号化された上記パスワードをＩＣカード２に書き込む（ステップＳ５）。また、ＩＣカード２の表面に、カメラ１ａで撮影した写真を貼り付け、受験番号等の受験者情報を印刷する。ここで、ＩＣカード２に上記カメラ１ａで撮影した受験者の画像を書き込んでおくことで、ＩＣカード２の写真を貼りかえても、ＩＣカード２の情報を読み出すことで、写真が貼りかえられたことを確認することができる。またＩＣカードと写真は物理的にはがすことができないように一体化状態にすることもできる。
上記のようにＩＣカード２の受験者情報等が書き込まれると、上記追加書き込み禁止解除用パスワードでなければ解除できないように、ＩＣカードを追加書き込み禁止状態に設定する（ステップＳ６）。
【００２８】
合否判定後、合格者証情報の配布は次のように行われる。
図１３において、合否判定結果が入力されると、試験場サーバ１は、合否判定結果を記憶部１ｃに格納し、合格者証情報を作成し、合否判定結果をホームページで公開する（ステップＳ１４，Ｓ１５）。
受験者は、受験者ＰＣにより上記ホームページを閲覧し合否を知る（ステップＳ７）。合格者は、ＩＣカードに記憶された秘密鍵により暗号化されたパスワードを送信し、合格者証情報を要求する（ステップＳ８，Ｓ９）。
試験場サーバ１は、受験者ＰＣから送られてくる暗号化情報を秘密鍵により復号化し、合格者証情報を要求してきたものが、正しい合格者であるかを認証する。そして、合格者であることが認証できると、該受験者ＰＣ４に、合格者証情報と上記復号化されたパスワードと、ＩＣカード書き込みプログラムを送信する（ステップＳ１６−Ｓ１８）。
受験者ＰＣ４では、上記合格者証情報とパスワードとＩＣカード書き込みプログラムを受信すると、上記ＩＣカード書き込みプログラムは、パスワードによりＩＣカードの追加書き込み禁止を解除し、ＩＣカードに合格者証情報を書き込む（ステップＳ１２，Ｓ１３）。また、必要に応じて、プリンタにより上記合格者証情報に基づき、合格者証をプリントアウトする。この合格者証には前記図３に示したように受験者の写真が印刷される。
【００２９】
以上説明したように、本実施例においては、各受験者に受験会場で撮影した写真等を貼りつけ受験者情報などを書き込んだＩＣカードを、追加書き込み禁止状態で受験者に配布するとともに、受験者毎に秘密鍵を生成し、秘密鍵でＩＣカード書き込み禁止解除用パスワードを暗号化して、ＩＣカードに書き込んで受験者に配布し、合格者のＰＣから送られてくる秘密鍵により暗号化されたパスワードを復号化して合格者を認証するとともに、ＩＣカードの追加書き込み禁止を解除するパスワードを得て、このパスワードとともに合格者証情報を合格者のＰＣに送信して、合格者証情報をＩＣカードに書き込み、この合格者証情報が書き込まれたＩＣカードにより合格者を認証するようにしている。
このため、前記第１，２の実施例と同様、替え玉受験を防止することができる。また、ＩＣカードそのものを合格証として用いているので、このＩＣカードにより合格者を確実に認証することができる。
また、インターネットを介して、合格者証情報を配布するようにしているので、合格者が全国に散らばっていても、比較的に容易に各合格者に合格証を配布することが可能である。
さらに、秘密鍵によりＩＣカード書き込み禁止解除用パスワードを暗号化して、ＩＣカードに書き込み、受験者ＰＣから送られてきたこの暗号化情報を秘密鍵により復号化して、ＩＣカード書き込み禁止解除用パスワードを得ているので、試験場サーバでは秘密鍵のみを管理すればよく、情報の管理が容易になる。
【００３０】
なお、上記実施例において、秘密鍵と公開鍵のペアを用い（この公開鍵は公開しない）、以下のようにして、合格者証情報を合格者に配布するようにしてもよい。
（１）秘密鍵でパスワードを暗号化してＩＣカードに書き込むとともに、秘密鍵をＩＣカードに書き込む。
（２）合否判定後、合格者は、上記秘密鍵で暗号化されたＩＣカード追加書き込み禁止解除用パスワードを試験場サーバに送信する。
（３）試験場サーバで上記暗号化された情報により受験者を認証して、公開鍵で復号化したパスワードと合格者証情報を、公開鍵で暗号化して、受験者ＰＣに送信する。
（４）受験者ＰＣでは、公開鍵で暗号化されたパスワード、合格者証情報を秘密鍵で復号化し、上記パスワードによりＩＣカードの追加書き込み禁止を解除して、合格者証情報をＩＣカードに書き込む。
【図面の簡単な説明】
【００３１】
【図１】本発明の実施例のシステムの概要を示す図である。
【図２】本発明の実施例のＩＣカードの外観の一例を示す図である。
【図３】プリントアウトした合格証の一例を示す図である。
【図４】本発明の第１の実施例のシステムの構成を示す図である。
【図５】合格者証情報の一例を示す図である。
【図６】本発明の第１の実施例の処理を示すフローチャート（１）である。
【図７】本発明の第１の実施例の処理を示すフローチャート（２）である。
【図８】本発明の第２の実施例のシステムの構成を示す図である。
【図９】本発明の第２の実施例の処理を示すフローチャート（１）である。
【図１０】本発明の第２の実施例の処理を示すフローチャート（２）である。
【図１１】本発明の第３の実施例のシステムの構成を示す図である。
【図１２】本発明の第３の実施例の処理を示すフローチャート（１）である。
【図１３】本発明の第３の実施例の処理を示すフローチャート（２）である。
【図１４】第１〜第３の実施例において、試験場サーバの記憶部に記憶されるデータの例を示す図である。
【符号の説明】
【００３２】
１    試験場サーバ
１ａ  カメラ
１ｂ  ＩＣカードライタ
１ｃ  記憶部
１ｄ  入力手段
２    ＩＣカード
３    インターネット
４    受験者パソコン（ＰＣ）
４ａ  ＩＣカードリーダ／ライタ
４ｂ  プリンタ
４ｃ  入力手段
４ｄ  表示部
１１  入力部
１２  パスワード生成部
１３  合格者証情報作成部
１４  合格者証情報送信部
１５  合格者認証部
１６  ＩＣカード書き込み部
１７  送受信部
１８  ＩＣカード書き込み用プログラム
２１  パスワード／秘密・公開鍵生成部
２２  パスワード／秘密鍵生成部
２３  暗号化部
【図１】
2005327109.tif 000003
【図２】
2005327109.tif 000004
【図３】
2005327109.tif 000005
【図４】
2005327109.tif 000006
【図５】
2005327109.tif 000007
【図６】
2005327109.tif 000008
【図７】
2005327109.tif 000009
【図８】
2005327109.tif 000010
【図９】
2005327109.tif 000011
【図１０】
2005327109.tif 000012
【図１１】
2005327109.tif 000013
【図１２】
2005327109.tif 000014
【図１３】
2005327109.tif 000015
【図１４】
2005327109.tif 000016